(57)【要約】      （修正有）【課題】エラーに関係する機能を制限して、装置で使用可能なモードに簡単に移行できるようにする。【解決手段】複合機能装置で第１機能の動作は実行不可で且つ第２機能の動作は実行可能な場合に、該第１機能の動作は要さず且つ該第２機能の動作は要するジョブを該装置で実行させる機能制限動作の実行可否を決定する為の指示を操作手段を介しユーザ入力可能にし、且つ、該装置で該第１機能の動作は実行不可で且つ該第２機能の動作は実行可能な場合であり且つ該指示により該機能制限動作の実行が許可済の場合に、該第１機能の動作は要さず且つ該第２機能の動作は要するジョブを該装置により実行させることを許可し、且つ、該装置で該第１機能の動作は実行不可で且つ該第２機能の動作は実行可能な場合であり且つ該機能制限動作の実行が未許可の場合に、該第１機能の動作は要さず且つ該第２機能の動作は要するジョブを該装置により実行させることを禁止する。【選択図】図５
2007151144.tif 000002
【特許請求の範囲】
【請求項１】
第１機能と第２機能を含む複数の機能の動作を複合機能装置により実行可能にした複合機能システムであって、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にする制御手段を有し、
前記制御手段は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記制御手段は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する、ことを特徴とする複合機能システム。
【請求項２】
第１機能と第２機能を含む複数の機能の動作を複合機能装置により実行可能にした複合機能システムであって、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、前記第１機能に係る情報を操作手段により通知させたうえで、該操作手段を介してユーザにより入力可能にする、制御手段を有し、
前記制御手段は、
前記複合機能装置により前記第１機能の動作は実行不可で且つ前記第２機能の動作は実行可能な場合であり、且つ、前記情報の通知がなされた後に前記操作手段を介してユーザ入力された前記指示により前記機能制限動作の実行が許可済みである場合に、前記第１機能の動作は要さず且つ前記第２機能の動作は要するジョブを前記複合機能装置により実行させることを許可し、
且つ、前記制御手段は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する、ことを特徴とする複合機能システム。
【請求項３】
第１機能と第２機能を含む複数の機能の動作を複合機能装置により実行可能にした複合機能システムであって、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にする制御手段を有し、
前記制御手段は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記制御手段は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、
且つ、前記制御手段は、
前記機能制限動作の実行が許可済みである場合に、前記複合機能装置の電源が再起動された後でも、前記第１機能の動作は要さず且つ前記第２機能の動作は要するジョブを前記前記複合機能装置により実行させることを許可する、ことを特徴とする複合機能システム。
【請求項４】
第１機能と第２機能を含む複数の機能の動作を複合機能装置により実行可能にした複合機能システムであって、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にする制御手段を有し、
前記制御手段は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記制御手段は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、
且つ、前記制御手段は、
前記機能制限動作の実行が許可済みである場合に、前記第１機能に係る情報を前記操作手段により通知させた状態のままで、前記第１機能の動作は要さず且つ前記第２機能の動作は要するジョブの実行要求を前記操作手段を介してユーザから受付可能にする、ことを特徴とする複合機能システム。
【請求項５】
請求項１乃至４の何れかに記載の複合機能システムであって、
前記制御手段は、
前記機能制限動作自体が前記複合機能装置により実行不可能なエラーが前記複合機能装置により発生した場合に、前記操作手段からの前記指示のユーザ入力自体を禁止することを特徴とする複合機能システム。
【請求項６】
請求項１乃至５の何れかに記載の複合機能システムであって、
前記制御手段は、
前記操作手段により表示させる、前記指示をユーザ入力可能に構成された表示画面を介して、前記指示をユーザにより入力可能にし、
且つ、前記制御手段は、
前記機能制限動作自体が前記複合機能装置により実行不可能な場合に、前記表示画面を表示させること無しに、前記指示がユーザにより入力不可能なエラー画面を前記操作手段により表示可能にする、ことを特徴とする複合機能システム。
【請求項７】
請求項１乃至６の何れかに記載の複合機能システムであって、
前記制御手段は、
前記機能制限動作の実行は可能なエラーに該当する第１のエラーと、前記機能制限動作の実行自体が不可能なエラーに該当する第２のエラーのうちの、前記第１のエラーが前記複合機能装置により発生したことを条件に、前記操作手段を介して前記指示をユーザにより入力可能にし、
且つ、前記制御手段は、
前記第１のエラーの発生後に前記操作手段を介してユーザ入力された前記指示により前記機能制限動作の実行が許可された後に、前記複合機能装置における前記第１のエラーが解消されても、前記操作手段により実行される前記機能制限動作を解除するためのユーザ操作の実行無しに、前記複合機能装置の前記機能制限動作を解除することは禁止する、ことを特徴とする複合機能システム。
【請求項８】
請求項１乃至７の何れかに記載の複合機能システムであって、
前記複合機能装置は、
自装置に入力されたデータの印刷動作を自装置の印刷手段により実行させる印刷機能、及び、
自装置に入力されたデータの印刷動作を他装置の印刷手段により実行させるリモート印刷機能、及び、
自装置に入力されたデータを他装置へデータ送信するデータ送信機能、及び、
自装置に入力されたデータを自装置の記憶手段により保持させるデータ保存機能のうちの、少なくとも何れかの機能を具備する複合機能装置であることを特徴とする複合機能システム。
【請求項９】
請求項１乃至８の何れかに記載の複合機能システムであって、
前記複合機能装置は、
前記第２機能に相当する印刷機能による印刷動作と、前記第１機能に相当する後処理機能による印刷媒体に対する後処理動作とが、実行可能な、複合機能装置であり、
且つ、前記制御手段は、
前記複合機能装置による前記後処理機能の後処理動作は実行不可で且つ前記複合機能装置による前記印刷機能の印刷動作は実行可能な場合であり、且つ、前記機能制限動作の実行が許可済みである場合に、前記後処理機能の後処理動作は要さず且つ前記印刷機能の印刷動作は要するジョブを前記複合機能装置により実行させることを許可する、ことを特徴とする複合機能システム。
【請求項１０】
請求項１乃至８の何れかに記載の複合機能システムであって、
前記複合機能装置は、
前記第２機能に相当するデータ送信機能によるデータ送信動作と、前記第１機能に相当する後処理機能による印刷媒体に対する後処理動作とが、実行可能な、複合機能装置であり、
且つ、前記制御手段は、
前記複合機能装置による前記後処理機能の後処理動作は実行不可で且つ前記複合機能装置による前記データ送信機能のデータ送信動作は実行可能な場合であり、且つ、前記機能制限動作の実行が許可済みである場合に、前記後処理機能の後処理動作は要さず且つ前記データ送信機能のデータ送信動作は要するジョブを前記複合機能装置により実行させることを許可する、ことを特徴とする複合機能システム。
【請求項１１】
請求項１乃至８の何れかに記載の複合機能システムであって、
前記複合機能装置は、
前記第２機能に相当するデータ送信機能によるデータ送信動作と、前記第１機能に相当する印刷機能による印刷動作とが、実行可能な、複合機能装置であり、
且つ、前記制御手段は、
前記複合機能装置による前記印刷機能の印刷動作は実行不可で且つ前記複合機能装置による前記データ送信機能のデータ送信動作は実行可能な場合であり、且つ、前記機能制限動作の実行が許可済みである場合に、前記印刷機能の印刷動作は要さず且つ前記データ送信機能のデータ送信動作は要するジョブを前記複合機能装置により実行させることを許可する、ことを特徴とする複合機能システム。
【請求項１２】
請求項１乃至８の何れかに記載の複合機能システムであって、
前記複合機能装置は、
前記第２機能に相当する印刷機能による印刷動作と、前記第１機能に相当するデータ送信機能によるデータ送信動作とが、実行可能な、複合機能装置であり、
且つ、前記制御手段は、
前記複合機能装置による前記データ送信機能のデータ送信動作は実行不可で且つ前記複合機能装置による前記印刷機能の印刷動作は実行可能な場合であり、且つ、前記機能制限動作の実行が許可済みである場合に、前記データ送信機能のデータ送信動作は要さず且つ前記印刷機能の印刷動作は要するジョブを前記複合機能装置により実行させることを許可する、ことを特徴とする複合機能システム。
【請求項１３】
第１機能と第２機能を含む複数の機能の動作を複合機能装置により実行可能にした複合機能システムのジョブ処理方法であって、
前記ジョブ処理方法は、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、
且つ、前記ジョブ処理方法は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記ジョブ処理方法は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する、ことを特徴とするジョブ処理方法。
【請求項１４】
第１機能と第２機能を含む複数の機能の動作を複合機能装置により実行可能にした複合機能システムのジョブ処理方法であって、
前記ジョブ処理方法は、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、前記第１機能に係る情報を操作手段により通知させたうえで、該操作手段を介してユーザにより入力可能にし、
且つ、前記ジョブ処理方法は、
前記複合機能装置により前記第１機能の動作は実行不可で且つ前記第２機能の動作は実行可能な場合であり、且つ、前記情報の通知がなされた後に前記操作手段を介してユーザ入力された前記指示により前記機能制限動作の実行が許可済みである場合に、前記第１機能の動作は要さず且つ前記第２機能の動作は要するジョブを前記複合機能装置により実行させることを許可し、
且つ、前記ジョブ処理方法は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する、ことを特徴とするジョブ処理方法。
【請求項１５】
第１機能と第２機能を含む複数の機能の動作を複合機能装置により実行可能にした複合機能システムのジョブ処理方法であって、
前記ジョブ処理方法は、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、
且つ、前記ジョブ処理方法は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記ジョブ処理方法は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、
且つ、前記ジョブ処理方法は、
前記機能制限動作の実行が許可済みである場合に、前記複合機能装置の電源が再起動された後でも、前記第１機能の動作は要さず且つ前記第２機能の動作は要するジョブを前記前記複合機能装置により実行させることを許可する、ことを特徴とするジョブ処理方法。
【請求項１６】
第１機能と第２機能を含む複数の機能の動作を複合機能装置により実行可能にした複合機能システムのジョブ処理方法であって、
前記ジョブ処理方法は、
前記複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、
且つ、前記ジョブ処理方法は、
前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、
且つ、前記ジョブ処理方法は、
前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、
且つ、前記ジョブ処理方法は、
前記機能制限動作の実行が許可済みである場合に、前記第１機能に係る情報を前記操作手段により通知させた状態のままで、前記第１機能の動作は要さず且つ前記第２機能の動作は要するジョブの実行要求を前記操作手段を介してユーザから受付可能にする、ことを特徴とするジョブ処理方法。
【請求項１７】
請求項１３乃至１６の何れかに記載のジョブ処理方法であって、
前記ジョブ処理方法は、
前記機能制限動作自体が前記複合機能装置により実行不可能なエラーが前記複合機能装置により発生した場合に、前記操作手段からの前記指示のユーザ入力自体を禁止することを特徴とするジョブ処理方法。
【請求項１８】
請求項１３乃至１７の何れかに記載のジョブ処理方法であって、
前記ジョブ処理方法は、
前記操作手段により表示させる、前記指示をユーザ入力可能に構成された表示画面を介して、前記指示をユーザにより入力可能にし、
且つ、前記ジョブ処理方法は、
前記機能制限動作自体が前記複合機能装置により実行不可能な場合に、前記表示画面を表示させること無しに、前記指示がユーザにより入力不可能なエラー画面を前記操作手段により表示可能にする、ことを特徴とするジョブ処理方法。
【請求項１９】
請求項１３乃至１８の何れかに記載のジョブ処理方法であって、
前記ジョブ処理方法は、
前記機能制限動作の実行は可能なエラーに該当する第１のエラーと、前記機能制限動作の実行自体が不可能なエラーに該当する第２のエラーのうちの、前記第１のエラーが前記複合機能装置により発生したことを条件に、前記操作手段を介して前記指示をユーザにより入力可能にし、
且つ、前記ジョブ処理方法は、
前記第１のエラーの発生後に前記操作手段を介してユーザ入力された前記指示により前記機能制限動作の実行が許可された後に、前記複合機能装置における前記第１のエラーが解消されても、前記操作手段により実行される前記機能制限動作を解除するためのユーザ操作の実行無しに、前記複合機能装置の前記機能制限動作を解除することは禁止する、ことを特徴とするジョブ処理方法。
【請求項２０】
請求項１３乃至１９の何れかに記載のジョブ処理方法であって、
前記複合機能装置は、
自装置に入力されたデータの印刷動作を自装置の印刷手段により実行させる印刷機能、及び、
自装置に入力されたデータの印刷動作を他装置の印刷手段により実行させるリモート印刷機能、及び、
自装置に入力されたデータを他装置へデータ送信するデータ送信機能、及び、
自装置に入力されたデータを自装置の記憶手段により保持させるデータ保存機能のうちの、少なくとも何れかの機能を具備する複合機能装置であることを特徴とするジョブ処理方法。
【請求項２１】
請求項１３乃至２０の何れかに記載のジョブ処理方法であって、
前記複合機能装置は、
前記第２機能に相当する印刷機能による印刷動作と、前記第１機能に相当する後処理機能による印刷媒体に対する後処理動作とが、実行可能な、複合機能装置であり、
且つ、前記ジョブ処理方法は、
前記複合機能装置による前記後処理機能の後処理動作は実行不可で且つ前記複合機能装置による前記印刷機能の印刷動作は実行可能な場合であり、且つ、前記機能制限動作の実行が許可済みである場合に、前記後処理機能の後処理動作は要さず且つ前記印刷機能の印刷動作は要するジョブを前記複合機能装置により実行させることを許可する、ことを特徴とするジョブ処理方法。
【請求項２２】
請求項１３乃至２０の何れかに記載のジョブ処理方法であって、
前記複合機能装置は、
前記第２機能に相当するデータ送信機能によるデータ送信動作と、前記第１機能に相当する後処理機能による印刷媒体に対する後処理動作とが、実行可能な、複合機能装置であり、
且つ、前記ジョブ処理方法は、
前記複合機能装置による前記後処理機能の後処理動作は実行不可で且つ前記複合機能装置による前記データ送信機能のデータ送信動作は実行可能な場合であり、且つ、前記機能制限動作の実行が許可済みである場合に、前記後処理機能の後処理動作は要さず且つ前記データ送信機能のデータ送信動作は要するジョブを前記複合機能装置により実行させることを許可する、ことを特徴とするジョブ処理方法。
【請求項２３】
請求項１３乃至２０の何れかに記載のジョブ処理方法であって、
前記複合機能装置は、
前記第２機能に相当するデータ送信機能によるデータ送信動作と、前記第１機能に相当する印刷機能による印刷動作とが、実行可能な、複合機能装置であり、
且つ、前記ジョブ処理方法は、
前記複合機能装置による前記印刷機能の印刷動作は実行不可で且つ前記複合機能装置による前記データ送信機能のデータ送信動作は実行可能な場合であり、且つ、前記機能制限動作の実行が許可済みである場合に、前記印刷機能の印刷動作は要さず且つ前記データ送信機能のデータ送信動作は要するジョブを前記複合機能装置により実行させることを許可する、ことを特徴とするジョブ処理方法。
【請求項２４】
請求項１３乃至２０の何れかに記載のジョブ処理方法であって、
前記複合機能装置は、
前記第２機能に相当する印刷機能による印刷動作と、前記第１機能に相当するデータ送信機能によるデータ送信動作とが、実行可能な、複合機能装置であり、
且つ、前記ジョブ処理方法は、
前記複合機能装置による前記データ送信機能のデータ送信動作は実行不可で且つ前記複合機能装置による前記印刷機能の印刷動作は実行可能な場合であり、且つ、前記機能制限動作の実行が許可済みである場合に、前記データ送信機能のデータ送信動作は要さず且つ前記印刷機能の印刷動作は要するジョブを前記複合機能装置により実行させることを許可する、ことを特徴とするジョブ処理方法。
【請求項２５】
請求項１３乃至２４の何れかに記載のジョブ処理方法を実行するためのコンピュータ読取可能な記憶媒体。
【請求項２６】
請求項１３乃至２４の何れかに記載のジョブ処理方法を実行するためのプログラム。
【請求項２７】
請求項１３乃至２４の何れかに記載のジョブ処理方法を実行するための複合機能装置。
【発明の詳細な説明】
【技術分野】
【０００１】
本発明は、第１機能と第２機能を含む複数の機能の動作を複合機能装置により実行可能にした複合機能システム、ジョブ処理方法、記憶媒体、プログラム、複合機能装置に、関するものである。
【背景技術】
【０００２】
複写機などの画像処理装置において、サービスコールエラーが発生した場合、サービスコールの通知と共に電源の入れ直し（一度オフした後にオンする）を促す画面を表示し、画像処理装置内の一切の処理を停止させていた。尚、装置の故障発生時にユーザーにかかる負担を低減し、的確な情報により確実な修理を行えるようにして、装置のダウンタイムを短縮することを目的として、故障の検出後、故障への対処に必要な詳細情報を、電話線やネットワークを介して、装置の管理者やサービスマンなどに伝えることが出来るように構成した画像形成装置を提供するといった程度の提案はなされている（特許文献１参照）。
【特許文献１】特開２００１−０３４１２０号公報
【発明の開示】
【発明が解決しようとする課題】
【０００３】
しかしながら、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止するように構成した提案は、なされていない。
【０００４】
又、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、前記第１機能に係る情報を操作手段により通知させたうえで、該操作手段を介してユーザにより入力可能にし、且つ、前記複合機能装置により前記第１機能の動作は実行不可で且つ前記第２機能の動作は実行可能な場合であり、且つ、前記情報の通知がなされた後に前記操作手段を介してユーザ入力された前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止するように構成した提案も、なされていない。
【０００５】
又、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記複合機能装置の電源が再起動された後でも、前記第１機能の動作は要さず且つ前記第２機能の動作は要するジョブを前記前記複合機能装置により実行させることを許可するように構成した提案も、なされていない。
【０００６】
又、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記第１機能に係る情報を前記操作手段により通知させた状態のままで、前記第１機能の動作は要さず且つ前記第２機能の動作は要するジョブの実行要求を前記操作手段を介してユーザから受付可能にするように構成した提案も、なされていない。
【課題を解決するための手段】
【０００７】
上記課題を解決すべく、本発明は、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する複合機能システム、ジョブ処理方法、記憶媒体、プログラム、複合機能装置を提供するものである。
【０００８】
又、本発明によれば、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、前記第１機能に係る情報を操作手段により通知させたうえで、該操作手段を介してユーザにより入力可能にし、且つ、前記複合機能装置により前記第１機能の動作は実行不可で且つ前記第２機能の動作は実行可能な場合であり、且つ、前記情報の通知がなされた後に前記操作手段を介してユーザ入力された前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止する複合機能システム、ジョブ処理方法、記憶媒体、プログラム、複合機能装置を提供するものである。
【０００９】
又、本発明によれば、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記複合機能装置の電源が再起動された後でも、前記第１機能の動作は要さず且つ前記第２機能の動作は要するジョブを前記前記複合機能装置により実行させることを許可する複合機能システム、ジョブ処理方法、記憶媒体、プログラム、複合機能装置を提供するものである。
【００１０】
又、本発明によれば、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記第１機能に係る情報を前記操作手段により通知させた状態のままで、前記第１機能の動作は要さず且つ前記第２機能の動作は要するジョブの実行要求を前記操作手段を介してユーザから受付可能にする複合機能システム、ジョブ処理方法、記憶媒体、プログラム、複合機能装置を提供するものである。
【発明の効果】
【００１１】
本発明によれば、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止するように構成した複合機能システム、ジョブ処理方法、記憶媒体、プログラム、複合機能装置が提供可能となる。
【００１２】
又、本発明によれば、第１機能と第２機能を含む複数の機能の動作が実行可能な複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、前記第１機能に係る情報を操作手段により通知させたうえで、該操作手段を介してユーザにより入力可能にし、且つ、前記複合機能装置により前記第１機能の動作は実行不可で且つ前記第２機能の動作は実行可能な場合であり、且つ、前記情報の通知がなされた後に前記操作手段を介してユーザ入力された前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止するように構成した複合機能システム、ジョブ処理方法、記憶媒体、プログラム、複合機能装置が提供可能となる。
【００１３】
又、本発明によれば、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記複合機能装置の電源が再起動された後でも、前記第１機能の動作は要さず且つ前記第２機能の動作は要するジョブを前記前記複合機能装置により実行させることを許可するように構成した複合機能システム、ジョブ処理方法、記憶媒体、プログラム、複合機能装置が提供可能となる。
【００１４】
又、本発明によれば、第１機能と第２機能を含む複数の機能の動作を複合機能装置により前記第１機能の動作は実行不可で且つ前記第２機能の動作は実行可能な場合に、前記第１機能の動作は要さず且つ前記第２機能の動作は要するジョブを前記複合機能装置により実行させる機能制限動作の実行可否を決定するための指示を、操作手段を介してユーザにより入力可能にし、且つ、前記複合機能装置により前記第１機能の動作は実行不可で且つ前記第２機能の動作は実行可能な場合であり、且つ、前記指示により前記機能制限動作の実行が許可済みである場合に、前記第１機能の動作は要さず且つ前記第２機能の動作は要するジョブを前記複合機能装置により実行させることを許可し、且つ、前記複合機能装置により前記第１機能の動作は実行不可で且つ前記第２機能の動作は実行可能な場合であり、且つ、前記機能制限動作の実行が未許可である場合に、前記第１機能の動作は要さず且つ前記第２機能の動作は要するジョブを前記複合機能装置により実行させることを禁止し、且つ、前記機能制限動作の実行が許可済みである場合に、前記第１機能に係る情報を前記操作手段により通知させた状態のままで、前記第１機能の動作は要さず且つ前記第２機能の動作は要するジョブの実行要求を前記操作手段を介してユーザから受付可能にするように構成した複合機能システム、ジョブ処理方法、記憶媒体、プログラム、複合機能装置が提供可能となる。
【発明を実施するための最良の形態】
【００１５】
本発明の一実施形態の画像処理装置の概観図を図１に、ブロック図を図２に示す。コントローラ２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＳＲＡＭ２２００はシステムに関する情報を記憶するためのメモリであり、バッテリーでバックアップされている。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とインターフェース部で、操作部２０１２に表示する画像データを操作部２０１２に対して出力する。また、操作部２０１２から本システム使用者が入力した情報を、ＣＰＵ２００１に伝える役割をする。ネットワーク２０１０はＬＡＮ２０１１に接続し、情報の入出力を行う。モデム２０５０は公衆回線２０５１に接続し、情報の入出力を行う。以上のデバイスがシステムバス２００７上に配置される。画像バスＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。プリンタ２０９５によりプリントされたシートはフィニッシャ２１００に送られ、トレイに排出される。
【００１６】
操作部２０１２の構成を図３に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。ユーザモードキー２０１９は、自機に関するユーザ設定（時計、エラー優先順位など）を行うための画面に遷移する時に用いる。
【００１７】
本発明の装置が提供する機能は、コピー／送信／ボックスの３つの大きなカテゴリーに分かれており、これらは図４に示される操作画面上の上部に表示される３つのメインタブ（コピー／送信／ボックス）（３０１１〜３０１３）に対応している。これらのメインタブを押すことにより、各カテゴリーの画面への切り替えが行われる。他カテゴリーへの切り換えが許可されない場合は、メインタブの表示色が変わり、メインタブを押しても反応しない。
【００１８】
「コピー」は自機が有するスキャナとプリンタを使用して通常のドキュメント複写を行う機能と、自機が有するスキャナとネットワークで接続されたプリンタを使用してドキュメントの複写を行う機能（リモートコピー）を含む。「送信」は自機が有するスキャナに置かれたドキュメントを、電子メール、リモートプリンタ、ファックス、ファイル転送（ＦＴＰ）およびデータベースに転送する機能であり、宛先を複数指定することが可能である。「ボックス」は、自機のプリンタを使用してパソコンからプリントする場合、一時データを記憶させてから任意にプリントする事が可能であり、また、自機が有するスキャナからドキュメントを読み込み、データの保管ができる機能である。
【００１９】
図５に示されるエラー画面はサービスマンを必要とするようなエラー（サービスコールエラー）が発生した場合に表示される。エラー画面には、エラーメッセージをテキストで表示するメッセージ表示領域３０２２、エラー状態を回避して機能制限モードへ移行するための機能制限キー３０２１が含まれている。機能制限キー３０２１が押下されたことに応じて機能制限モードへ移行する。また、回避不可能なエラー発生時には、機能制限キー３０２１を有さないエラー画面（図示せず）が表示される。これらの制御はＣＰＵ２００１により行われる。
【００２０】
図４に示される画面のメッセージ行３０１４は、各カテゴリー（コピー／送信／ボックス）に依存したさまざまな状態を表示するための領域である。ステータス行３０１５は、現在開かれている画面のカテゴリーには関係ない状態、もしくは、現在開かれている画面のカテゴリーに依存した状態で、前記メッセージ行に表示されていないもの、あるいは機能制限モード中である事を表示するための領域である。図４に示すように、「フィニッシング機能が一部使用できません。」が機能制限モード中であることを意味している。ソフトタリー３０１６は、正常動作中は青、異常時は赤で、自機の状態を通知するためのものである。
【００２１】
図６は機能制限モードに関する制御のフローチャートである。このフローチャートを実行するためのプログラムはＲＯＭ２００３あるいはＨＤＤ２００４に記憶されており、ＣＰＵ２００１により実行される。まず画像処理装置の電源スイッチがオンされると（ステップＳ１）、ＣＰＵ２００１は（後述するステップＳ１４で記憶された）エラー回避情報がＳＲＡＭ２２００に記憶されているかどうかチェックし（ステップＳ２）、記憶されていなければ通常運転を行い（ステップＳ３）、ステップＳ４に進む。通常運転では画像処理装置にメカ的に接続されているデバイスを全て使用可能とする。ステップＳ４ではエラー検知を行い、エラーが検知されなかった場合にはステップＳ３に戻り、エラーが検知された場合にはステップＳ１１へ進む。
【００２２】
ステップＳ２でエラー回避情報が記憶されていると判別された場合には、機能制限モードに移行する（ステップＳ５）。機能制限モード運転では、ＣＰＵ２００１はＳＲＡＭ２２００に記憶されたエラー回避情報に従って、異常のあるデバイスもしくはデバイスの一部と通信する事をやめ、その旨を操作部Ｉ／Ｆ２００６を介して操作部２０１２へ通知する。例えば、エラー回避情報にフィニッシャ２１００のエラーが含まれる場合、操作画面上には図４に示すようにステータス行３０１５で機能制限モード中である旨を表示し、フィニッシャ２１００に関連する機能の設定キー３０１７を網掛け表示にして、設定キー３０１７の入力を無効にする。この時、画像処理装置はフィニッシャ２１００に関する機能以外については、通常に動作可能である。
【００２３】
機能制限モードに移行した後は、図４に示す画面の応用モードキー３０１８が押されることにより表示される画面上のサービスモードキーが押されたかどうか判別する（ステップＳ６）。サービスモードキーが押された場合はエラー回避クリアキーを含む画面を表示し（ステップＳ７）、エラー回避クリアキーが押されたか判別する（ステップＳ８）。エラー回避クリアキーが押された場合には、エラー回避情報をクリアし（ステップＳ９）、ステップＳ１０へ進む。エラー回避クリアキーが押されない場合、及びステップＳ６でサービスモードキーが押されない場合もステップＳ１０へ進む。ステップＳ１０ではエラー検知を行い、エラーが検知されなかった場合にはステップＳ５に戻り、エラーが検知された場合にはステップＳ１１へ進む。
【００２４】
ステップＳ４でエラーが検知された場合、及びステップＳ１０でエラーが検知された場合には、そのエラーが回避可能なエラーか回避不可能なエラーかを判断する（ステップＳ１１）。エラーが回避可能であるか否かは、エラーが発生した箇所によって判断される。
【００２５】
例えば、フィニッシャ２１００にエラーが発生したときには、フィニッシャ２１００を使用しないプリント動作及びコピー動作、及び送信動作に関しては正常動作可能なので、フィニッシャ２１００を使用するモードを設定できないようにすることにより、回避可能である。また、プリンタ２０９５にエラーが発生したときには、送信動作に関しては正常動作可能なので、プリント動作及びコピー動作を選択できないようにすることにより、回避可能である。また、スキャナ２０７０にエラーが発生したときには、プリント動作に関しては正常動作可能なので、コピー動作及び送信動作を選択できないようにすることにより、回避可能である。例えば、スキャナ画像処理２０８０、プリンタ画像処理２０９０、画像回転２０３０、画像圧縮２０４０、及び画像バスＩ／Ｆ２００５を有する画像処理ボードにエラーが発生したときには、コピー動作、プリント動作、及び送信動作のいずれも正常に動作することができないので、回避が不可能である。
【００２６】
回避可能なエラーと判断した場合、エラー情報と回避可能なエラーである事を操作部Ｉ／Ｆ２００６を介して操作部２０１２に通知する。回避可能なエラー情報を受信した操作部２０１２は、図５に示すエラー画面を操作部２０１２の画面上に表示する（ステップＳ１２）。このエラー画面上には、エラー回避のための機能制限キー３０２１が設けられており、機能制限キー３０２１が押されたことに応じて（ステップＳ１３）、エラー回避情報をＳＲＡＭ２２００に記憶させる（ステップＳ１４）。エラー回避情報は電源オン時にエラー回避を行うべき（電気的に切り離すべき、あるいはＣＰＵ２００１が通信を行わない）デバイスあるいはデバイスの一部を特定するための情報である。例えば、フィニッシャ２１００全体に関わるエラーが発生したときには、フィニッシャ２１００がエラー回避を行うべきデバイスとして記憶され、フィニッシャ２１００中のステイプラに関わるエラーが発生したときには、ステイプラがエラー回避を行うべきデバイスの一部として記憶される。ステップＳ１１で回避不可能なエラーと判断した場合は、図６に示すエラー画面３０３０を操作部２０１２の画面上に表示する（ステップＳ１５）。この画面３０３０には図５に示すエラー画面と違って機能制限キーが表示されない。ステップＳ４でエラーが検知された場合、およびステップＳ１０でエラーが検知された場合は、いずれにしてもユーザにより電源スイッチがオフにされることを待機する。
【００２７】
ユーザの連絡を受けたサービスマンはユーザのところまで赴き、画像処理装置の電源スイッチをオフして、エラーの発生したデバイスもしくはデバイスの一部を修繕あるいは交換する。その後、サービスマンは画像処理装置の電源スイッチをオンすると、この時はまだエラー回避情報がＳＲＡＭ２２００に記憶されている状態なので、機能制限モードでの運転を再開する。ここで、サービスマンは上述したサービスモードキーを押すことにより、エラー回避クリアキーを表示させ、このキーを押すことによりエラー回避情報を消去することができる。そして、画像処理装置の電源スイッチを一度オフし、オンすることにより、通常運転が開始される。以上はサービスモードでエラー回避情報を消去できるようにした構成を説明したが、ユーザモードでもエラー回避情報を消去できるように構成して、ユーザも同様の操作ができるようにしてもよい。
【００２８】
以上説明したように、本発明の一実施形態によれば、所定の機能を有する図１に開示の装置におけるエラーを検知し、この検知に応じて図１に開示の装置の機能を制限する機能制限キーを含む画面を表示するので、エラーに関係する機能を制限して図１に開示の装置を使用するモードに簡単な操作で移行することが可能になり、エラーが修復されるまでの間、図１に開示の装置を有効に使用することができる。
【００２９】
又、本発明の一実施形態によれば、上述の効果に加えて、機能制限キーが押されたことに応じて、検知したエラーに対応した機能の実行を制限するので、どのような機能に関するエラーが発生しても、ユーザは表示された機能制限キーを押すだけで、どの機能を制限するかを意識することなく、エラーが発生している機能に対して制限を加えることができる。
【００３０】
又、本発明の一実施形態によれば、上述の効果に加えて、機能制限キーが押されたことに応じて、図１に開示の装置の設定を行う画面に機能が制限されている旨を表示するので、ユーザは機能が制限されていることを知らずに機能の設定をしようとして混乱してしまうことがない。
【００３１】
又、本発明の一実施形態によれば、上述の効果に加えて、機能制限キーが押されたことに応じて、エラーと検知されたデバイスと制御手段との間の通信を行わないので、エラーの発生しているデバイスを物理的に切り離す必要がなく、ユーザの手を煩わすことがない。
【００３２】
又、本発明の一実施形態によれば、上述の効果に加えて、機能制限キーが押されたことに応じて、制限される機能に関する情報を不揮発性の記憶手段に記憶するので、図１に開示の装置の電源を再投入したときに、再び同じエラーのためにエラー表示を行わせることがない。
【００３３】
又、本発明の一実施形態によれば、上述の効果に加えて、図１に開示の装置の電源がオンされたことに応じて、記憶手段に記憶された情報を読み出し、読み出した情報に応じて図１に開示の装置における機能を制限するので、再び同じエラーのためにユーザに機能制限キーを押させることがない。
【００３４】
又、本発明の一実施形態によれば、上述の効果に加えて、検知したエラーに対応する機能に対応する機能設定キーの入力を無効にするので、ユーザは誤って制限されている機能の設定を行ってしまうことがない。
【００３５】
又、本発明の一実施形態によれば、上述の効果に加えて、検知されたエラーが図１に開示の装置の機能を制限することにより正常に動作することが可能になるエラーであるか否かを判別し、判別結果に応じた画面を表示するので、機能制限したとしても正常に動作できないエラーと機能制限することにより一部は正常に動作できるエラーの両方が起こりえる図１に開示の装置において、上述の効果を享受できる。
【００３６】
又、本発明の一実施形態によれば、上述の効果に加えて、図１に開示の装置の機能を制限することにより正常に動作することが可能になるエラーであると判別した場合、機能制限キーを含む画面を表示するので、機能制限がエラーに効果があるときのみ機能制限を行うことができる。
【００３７】
又、本発明の一実施形態によれば、上述の効果に加えて、図１に開示の装置の機能の制限によっては正常に動作させるようにすることができないエラーであると判別した場合、機能制限キーを含まない画面を表示するので、機能制限がエラーに効果がないときに機能制限キーを表示してユーザを混乱させてしまうことがない。
【図面の簡単な説明】
【００３８】
【図１】本発明の実施形態の画像処理装置の概観図である。
【図２】画像処理装置のブロック図である。
【図３】画像処理装置の操作部の概観図である。
【図４】画像処理装置の操作部に表示される基本画面の一例を示す図である。
【図５】画像処理装置の操作部に表示される回避可能なエラー表示の一例を示す図である。
【図６】画像処理装置の操作部に表示される回避不可能なエラー表示の一例を示す図である。
【図７】画像処理装置における回避可能なエラーに関する制御のフローチャートである。
【図１】
2007151144.tif 000003
【図２】
2007151144.tif 000004
【図３】
2007151144.tif 000005
【図４】
2007151144.tif 000006
【図５】
2007151144.tif 000007
【図６】
2007151144.tif 000008
【図７】
2007151144.tif 000009